(57)【特許請求の範囲】
【請求項１】
本体内に収納自在のフランジ付鍋と、この鍋の上面開口部を覆う外蓋と、前記鍋フランジをシールし内方の内蓋とを一体化し、パッキンを内蓋支えと内蓋で挟持するパッキンユニット部材とを備え、前記パッキンユニット部材は、湾曲した外蓋下面を覆う如く、下端内側面に着脱自在とし、かつ、前記外蓋内側面には、前記パッキンユニット部材上方に、若干の隙間を有して設けたリング状、または、前記パッキンの略同寸法まで複数個配置した落ち込み防止リブを設けてなる炊飯器。
【発明の詳細な説明】
【０００１】
【発明の属する技術分野】
本発明は一般家庭などで日常的に使用される炊飯器に関するものである。
【０００２】
【従来の技術】
最近、炊飯器には便利性向上を旨とし付加機能の追求及び台所事情等により洗浄できる内蓋と鍋パッキンが要求されている。
【０００３】
以下、従来の炊飯器について説明する。蓋体をワンタッチで開成操作ができる炊飯器として図６〜図８に示すものが知られている。炊飯器本体２１は、その内側に設けられ上面開口部に取り付けられた上枠２２と上面開口部を開閉自在に覆う蓋体２３によって構成されている。上枠２２は、炊飯器本体２１のヒンジ側で開閉自在に軸支するヒンジ部２４と、ヒンジ部２４の略反対側に位置して炊飯器本体２１と蓋体２３とを係合するフックレバ−２５を備えている。蓋体２３は、一方を蓋体２３内部に固定され他側を上枠２２と当接するヒンジばね２６により常に開蓋付勢力を与えられている。２７は、米等の被加熱調理物を収納する上面開口した内鍋である。この内鍋２７の上面開口部の外周フランジ部２８をシ−ルする鍋パッキン２９がある。
【０００４】
鍋パッキン２９は、内蓋支え３０と内蓋３１に挟持され、一体化して内蓋ユニット部材３２を構成する。内蓋ユニット部材３２を図６、７に示す。内蓋ユニット部材３２を構成する内蓋支え３０は、図６〜図８に示すように、フックレバ−２５と係合するフックレバ−爪３３と、指で挟んで摘むＵ字状のＵ字部３４が設けられている。フックレバ−２５先端で内蓋支え３０と係合する係合部が、フック部２５ａである。フックレバ−爪３３に、フック部２５ａと係合する他側着脱部３３ａがある。
【０００５】
図７の断面Ａ−ＡにＵ字部３４の断面形状を示す。Ｕ字部３４は、ヒンジ側着脱部３４ａである。３５はＵ字部３４の外周側の摘み部である。一方、３６はＵ字部３４の内周側の摘み部である。３７はＵ字部３４が内蓋支え３０と接続する接続部である。３８は蓋体２３と着脱する係合爪部である。Ｕ字部３４はヒンジ部２４側に配置されている。内蓋支え３０は通常可塑性樹脂で構成され、例えば、ポリプロピレン樹脂等で成型加工される。
【０００６】
【発明が解決しようとする課題】
しかしながら、上記従来の構成では、内蓋５と蓋体カバ−３が着脱可能となっているが、内蓋支え３０の熱に対する剛性が小さいため、内蓋５を支持する内蓋支え３０が、炊飯時に変形し、蒸気もれすること考えられた。また、内蓋３１は、板厚の薄いアルミニユウム材料で構成され、性能上は問題ないが、フキンなどでからぶきするときに、変形しやすいという課題があった。
【０００７】
本発明は上記従来の課題を解決するもので、内蓋支え変形による鍋パッキン部の蒸気もれを防止することを第１の目的とする。
【０００８】
【課題を解決するための手段】
上記目的を達成するために本発明は、本体内に収納自在のフランジ付鍋と、この鍋の上面開口部を覆う外蓋と、前記鍋フランジをシールし内方の内蓋とを一体化し、パッキンを内蓋支えと内蓋で挟持するパッキンユニット部材とを備え、前記パッキンユニット部材は、湾曲した外蓋下面を覆う如く、下端内側面に着脱自在とし、かつ、前記外蓋内側面には、前記パッキンユニット部材上方に、若干の隙間を有して設けたリング状、または、前記パッキンの略同寸法まで複数個配置した落ち込み防止リブを設けてなるものである。
【０００９】
【発明の実施の形態】
請求項１記載の発明は、本体内に収納自在のフランジ付鍋と、この鍋の上面開口部を覆う外蓋と、前記鍋フランジをシールし内方の内蓋とを一体化し、パッキンを内蓋支えと内蓋で挟持するパッキンユニット部材とを備え、前記パッキンユニット部材は、湾曲した外蓋下面を覆う如く、下端内側面に着脱自在とし、かつ、前記外蓋内側面には、前記パッキンユニット部材上方に、若干の隙間を有して設けたリング状、または、前記パッキンの略同寸法まで複数個配置した落ち込み防止リブを設けたことにより、変形防止をするものである。
【００１０】
【実施例】
以下、本発明の一実施例を図面を参照しながら説明する。但し、従来例と同部品は同番号とする。
【００１１】
図１〜図４において、炊飯器本体２１とこの本体内に収納自在の鍋２７と、この鍋２７の上面開口部を覆う外蓋１と、鍋２７の上面開口部の上面円周に設けられた鍋フランジ８と、この外蓋１内部に配置されるパッキン２と、このパッキン２は、内蓋支え３０と内蓋３１に挟持され、一体化して内蓋ユニット部材３を構成する。この内蓋ユニット部材３は、従来例の内蓋ユニット部材３０と同様の構成で、外蓋１と着脱自在とし、湾曲した外蓋１下面を覆う如く、下端内側面に着脱自在とし、かつ、外蓋１内側面には、パッキンユニット部材３上方に、若干の隙間（例えば、０．０５ｍｍ〜０．５ｍｍ）を有して設けたリング状、もしくは、複数個配置した落ち込み防止リブ５を設けたものである。
【００１２】
図１、図３に示すのが、落ち込み防止リブ５である。落ち込み防止リブ５はパッキン２の内径と略同寸法に設定されることにより、パッキン２の位置に対抗する近接位置に設けられる。図１、図２に示すのが、リング状のリブ５である。また、リング状のリブ５は外蓋１の内部側で中空部６により構成されてもよい。リング状のリブ５は、図３に示すように、外蓋１の内部側に連続して設けることも可能である。さらに、リング状のリブ５は、落ち込み防止リブ５と同様に、パッキン２の内径と略同寸法まで配設されることにより、パッキン２の位置に対抗する近接位置に設けられる。
【００１３】
次に、図５に示すのが、外蓋１の内方で、パッキン２の内側に配置された内蓋と、この内蓋の変形を防止する内蓋リブを設けた構成を示すものである。
【００１４】
図４、図５に示すのは、外蓋１と内蓋ユニット部材３とが当接するリブ７である。リブ７は外蓋１側に設けられても、内蓋ユニット部材３側に設けられてもどちらでもよい。外蓋１側に設けられたリング状のリブ５は、外蓋１ではなく、例えば、内蓋３１に設けられてもよい。
【００１５】
内蓋ユニット部材３は、外蓋１より外せるので、炊飯中の汚れを内蓋ユニト部３に集中させることができ、炊飯後に内蓋ユニット部材３のみを洗うことにより、清潔で使い勝手を良くすることができるのである。
【００１６】
【発明の効果】
以上のように、本発明によれば、外蓋と内蓋ユニット部材とを当接するリブを設けたため、内蓋ユニット部材の変形を外蓋で受けることにより、変形防止をすることができる。
【００１７】
さらに、内蓋ユニット部材は、外蓋より外すことができ、炊飯中の汚れを内蓋ユニット部材に集中させることができ、炊飯後に内蓋ユニット部材のみを洗うことにより、清潔で使い勝手のよい炊飯器を提供することができる。
【図面の簡単な説明】
【図１】本発明の一実施例を示す炊飯器の要部断面図
【図２】同炊飯器の要部詳細図
【図３】同炊飯器の要部斜視図
【図４】同炊飯器の断面図
【図５】同炊飯器の平面図
【図６】従来の炊飯器の断面図
【図７】同炊飯器の平面図
【図８】同炊飯器の断面図
【符号の説明】
１  外蓋
２  パッキン
３  内蓋ユニット部材
５  落ち込み防止リブ
７  内蓋リブ
８  フランジ
２１  炊飯器本体
２７  鍋
３１  内蓋
【図１】
0003596333.tif 000002
【図２】
0003596333.tif 000003
【図３】
0003596333.tif 000004
【図４】
0003596333.tif 000005
【図５】
0003596333.tif 000006
【図６】
0003596333.tif 000007
【図７】
0003596333.tif 000008
【図８】
0003596333.tif 000009